【手続補正書】
【提出日】令和2年12月15日(2020.12.15)
【手続補正１】
【補正対象書類名】明細書
【補正対象項目名】発明の名称
【補正方法】変更
【補正の内容】
【発明の名称】操作状態検出装置、操作状態検出用シート及び電子楽器
【手続補正２】
【補正対象書類名】明細書
【補正対象項目名】０００１
【補正方法】変更
【補正の内容】
【０００１】
本発明は、操作状態検出装置、操作状態検出用シート及び電子楽器に関するものである。
【手続補正３】
【補正対象書類名】明細書
【補正対象項目名】０００７
【補正方法】変更
【補正の内容】
【０００７】
本発明は以上のような事情に鑑みてなされたものであり、例えば、一般的な電子機器を用いて打撃の強度等に応じた音を出力させる模擬的な楽器演奏を行う場合などで利用可能な操作状態検出装置、操作状態検出用シート及び電子楽器を提供することを目的とするものである。
【手続補正４】
【補正対象書類名】明細書
【補正対象項目名】０００８
【補正方法】変更
【補正の内容】
【０００８】
前記課題を解決するために、本発明の操作状態検出装置は、操作面を有するとともに前記操作面上の複数の位置での操作による接触の有無を検出可能な電子機器と、前記電子機器の前記操作面に対して脱着可能なシート部材と、を有し、前記シート部材は、前記操作面に装着した状態において、加えられた外力の強さに応じて前記操作面への接触状況が変化するように変形する突出部を有し、前記電子機器は、前記シート部材を前記操作面に装着した状態において、前記操作面上の前記突出部に対応する位置に、前記突出部の変形により接触状況が変化する個別の検出領域を設定し、設定された前記検出領域内の複数の位置で前記突出部との接触の有無を検出し、前記検出領域内で検出された接触部分の数または接触部分の範囲を示す検出結果に基づいて、前記突出部に加えられた操作の強さまたは操作の速さに対応する処理を実行する制御部を有することを特徴としている。
【手続補正５】
【補正対象書類名】特許請求の範囲
【補正対象項目名】全文
【補正方法】変更
【補正の内容】
【特許請求の範囲】
【請求項１】
操作面を有するとともに前記操作面上の複数の位置での操作による接触の有無を検出可能な電子機器と、
前記電子機器の前記操作面に対して脱着可能なシート部材と、
を有し、
前記シート部材は、前記操作面に装着した状態において、加えられた外力の強さに応じて前記操作面への接触状況が変化するように変形する突出部を有し、
前記電子機器は、前記シート部材を前記操作面に装着した状態において、前記操作面上の前記突出部に対応する位置に、前記突出部の変形により接触状況が変化する個別の検出領域を設定し、設定された前記検出領域内の複数の位置で前記突出部との接触の有無を検出し、前記検出領域内で検出された接触部分の数または接触部分の範囲を示す検出結果に基づいて、前記突出部に加えられた操作の強さまたは操作の速さに対応する処理を実行する制御部を有する、操作状態検出装置。
【請求項２】
前記制御部は、前記シート部材を前記操作面に装着した状態において、前記操作面上の前記突出部の位置とサイズに対応する位置とサイズで、前記操作面の全体の検出可能領域内に個別の前記検出領域を設定する、請求項１に記載の操作状態検出装置。
【請求項３】
前記シート部材は、複数の前記突出部が設けられており、前記操作面に装着した状態において、それぞれの突出部に加えられた外力の強さに応じてそれぞれの突出部の前記操作面への接触状況が変化し、
前記制御部は、前記シート部材を前記操作面に装着した状態において、前記複数の前記突出部それぞれに対応する位置に、それぞれの前記突出部の変形によりそれぞれの前記検出領域の接触状態が変化するように、前記複数の前記突出部に対応する複数の前記検出領域を設定し、前記複数の前記突出部のうちの前記操作面上で外力が加えられた第１突出部に対応する第１検出領域内の複数の位置で前記第１突出部との接触の有無を検出し、前記第１検出領域内で検出された接触部分の数または接触部分の範囲を示す検出結果に基づいて、前記第１突出部に加えられた操作の強さまたは操作の速さに対応する処理を実行する、請求項１又は請求項２に記載の操作状態検出装置。
【請求項４】
前記制御部は、前記シート部材を前記操作面に装着する際に、前記シート部材に設けられた前記複数の前記突出部の位置に一致するように、前記操作面に設けられる前記複数の前記検出領域の位置を調整する制御を行う、請求項３に記載の操作状態検出装置。
【請求項５】
前記シート部材を前記操作面に装着する際に、前記シート部材に設けられた前記複数の前記突出部の位置と、前記操作面に設けられた前記複数の前記検出領域の位置とを一致させるための目印を、前記シート部材と前記操作面とに設けた、請求項３又は請求項４に記載の操作状態検出装置。
【請求項６】
前記複数の前記検出領域それぞれの位置とサイズが、前記複数の前記突出部それぞれの位置とサイズに対応するように、前記複数の前記検出領域と前記複数の前記突出部が配置されている、請求項３から請求項５のいずれか一項に記載の操作状態検出装置。
【請求項７】
前記接触状況の変化は、前記突出部が前記検出領域内で接触している接触部分の範囲、接触部分の数、接触タイミングのうちの少なくとも１つの変化である、請求項１から請求項６のいずれか一項に記載の操作状態検出装置。
【請求項８】
前記接触状況の変化は、前記突出部が前記検出領域内の複数の位置それぞれに接触するタイミングの変化であり、複数の位置での接触タイミングの差に応じて、前記突出部に加えられた操作の速さを判断する、請求項１から請求項７のいずれか一項に記載の操作状態検出装置。
【請求項９】
前記操作面は、感圧式のタッチパネルである、請求項１から請求項８のいずれか一項に記載の操作状態検出装置。
【請求項１０】
操作面を有するとともに前記操作面の全体の検出可能領域内に設けられた個別の検出領域内の複数の位置で接触の有無を検出し、前記複数の位置で検出された接触の有無の検出結果に基づいて、前記操作面の前記検出領域に対応する部分に加えられた操作の強さまたは操作の速さを特定することが可能な電子機器の前記操作面に対して脱着可能なシート部材であって、
前記操作面に装着した状態において、前記検出領域に対応する位置に突出部が設けられ、前記突出部に加えられた外力の強さに応じて前記検出領域内の複数の位置に対する接触状況が変化するように前記突出部が変形する、
ように構成されている操作状態検出用シート。
【請求項１１】
前記電子機器の前記操作面に設けられた複数の前記検出領域それぞれに対応する位置に、前記突出部が複数設けられ、
前記操作面に装着する際に、前記操作状態検出用シートに設けられた前記複数の前記突出部の位置と、前記操作面に設けられた前記複数の前記個別の検出領域の位置とを一致させるための目印が設けられている、
請求項１０に記載の操作状態検出用シート。
【請求項１２】
前記複数の前記個別の検出領域それぞれの位置とサイズが、前記複数の前記突出部それぞれの位置とサイズに対応するように、前記複数の前記突出部が配置されている、
請求項１０又は請求項１１に記載の操作状態検出用シート。
【請求項１３】
前記接触状況の変化は、前記突出部が前記個別の検出領域内で接触している接触部分の範囲、接触部分の数、接触タイミングのうちの少なくとも１つの変化である、
請求項１０から請求項１２のいずれか一項に記載の操作状態検出用シート。
【請求項１４】
前記突出部における前記個別の検出領域に接触する位置の異なる複数の部位それぞれが、前記突出部の変形に応じて前記個別の検出領域に接触するタイミングが異なるような形状に、前記突出部が形成されている、
請求項１０から請求項１３のいずれか一項に記載の操作状態検出用シート。
【請求項１５】
前記シート部材における前記突出部と前記操作面とが対向する面とは逆の表面側には、前記突出部とは高さの異なる段差部が形成されている、
請求項１０から請求項１４のいずれか一項に記載の操作状態検出用シート。
【請求項１６】
請求項１から請求項９のいずれか一項に記載の操作状態検出装置を備え、
前記電子機器は、前記個別の検出領域で検出される前記操作面に対する操作の強さまたは操作の速さに応じて、楽音の出力を制御する、
電子楽器。
【請求項１７】
前記電子機器は、前記個別の検出領域で検出される前記操作面に対する操作の強さまたは操作の速さに応じて、出力する楽音の強さを制御する、
請求項１６に記載の電子楽器。
【請求項１８】
前記シート部材は、それぞれの形状が異なる複数の前記突出部を有し、
前記電子機器は、前記複数の前記突出部に対応する複数の前記個別の検出領域のいずれで操作が検出されたかに応じて、異なる音色の楽音を出力するように制御する、
請求項１６又は請求項１７に記載の電子楽器。
【請求項１９】
前記電子機器は、前記複数の前記個別の検出領域のいずれで操作が検出されたかに応じて、異なる種類の楽器音を出力するように制御する、
請求項１６から請求項１８のいずれか一項に記載の電子楽器。